(57)【要約】【課題】カレンダー紙片を中綴式にすることで、容易に冊子状にでき携帯に便利な中綴式卓上カレンダーを提供することである。【解決手段】背面部４と正面部１の折り部７ａにカレンダー紙片９を中綴じし、背面部４と正面部１の折り部７ａをカレンダー紙片９が表面になるように折り曲げ、正面部１と底面部２の折り部７ｂを同じくカレンダー紙片９が表面になるように折り曲げ、底面部２と支持体３Ａの折り部７ｃを折り曲げる。次に背面部４に設置されている挿入片８を支持体３Ａに設置されている差込口６ｂに差し込むことで、縦断面形状が三角形となるスリーブ体の卓上カレンダーを組み立てることができる。【選択図】        図１
2004330597.tif 000002
【特許請求の範囲】
【請求項１】
支持部材と前記支持部材に支持される複数枚の表示体とからなる卓上カレンダーにおいて、
前記支持部材は、正面部と背面部と底面部とが折り部を介して連続して縦断面形状が三角形となるスリーブ体であり、
前記正面部と前記背面部の前記折り部に前記複数枚の表示体を中綴じによって固定することを特徴とする中綴式卓上カレンダー。
【請求項２】
前記背面部は、前記正面部と折り部を介して連接する第１の背面部と、前記底面部と折り部を介して連接する第２の背面部を有することを特徴とする請求項１記載の中綴式卓上カレンダー。
【請求項３】
前記正面部は、前記表示体を係止する第１の係止片を有することを特徴とする請求項１または２記載の中綴式卓上カレンダー。
【請求項４】
前記背面部は、前記表示体を係止する第２の係止片を有することを特徴とする請求項１から３のいずれか１項に記載の中綴式卓上カレンダー。
【請求項５】
前記第２の背面部は、前記第２の係止片を挿入するための第１の係止孔を有することを特徴とする請求項４記載の中綴式卓上カレンダー。
【請求項６】
前記底面部は、前記第２の係止片を挿入するための第２の係止孔を有することを特徴とする請求項４または５記載の中綴式卓上カレンダー。
【請求項７】
第２の係止片および／または第１の係止孔の下部に広告や店名を掲載した広告掲載部を有することを特徴とする請求項６記載の中綴式卓上カレンダー。
【請求項８】
前記正面部と前記背面部の右辺側と左辺側に、前記表示体を係止するための、係止部材を設けたことを特徴とする請求項１から７のいずれか１項に記載の中綴式卓上カレンダー。
【請求項９】
前記係止部材は、切り込み係止片であることを特徴する請求項８記載の中綴式卓上カレンダー。
【請求項１０】
前記係止部材は、折り返し係止片であることを特徴とする請求項８記載の中綴式卓上カレンダー。
【請求項１１】
前記支持部材と前記表示体は紙材で形成されていることを特徴とする請求項１から１０のいずれか１項に記載の中綴式卓上カレンダー。
【発明の詳細な説明】
【０００１】
【発明の属する技術分野】
本発明は卓上カレンダーに関し、特に、カレンダー紙片を中綴方式により中綴じした中綴式卓上カレンダーに関する。
【０００２】
【従来の技術】
従来の卓上カレンダーでは、プラスチック製の透明ケースにカレンダー紙片を収納したり、合成樹脂製のリングにカレンダー紙片を綴じる形態が採用されていたが、廃棄する際に環境問題の一因になったり、嵩張って携帯に不便という欠点があった。
【０００３】
また上記に示す問題から、廃棄する際の環境問題を配慮した紙製の卓上カレンダーがある。紙製の卓上カレンダーは、支持体部分に合成樹脂材を含んでいないため、全て可燃物として処理でき、構造も簡単なことからコストの低減ができることが特徴である。
【０００４】
また、先行技術として以下のような従来技術がある。
一枚のプラスチック板から全体を一体成形でき、かつ、組み立ても簡単で、製造コストを下げることができるカレンダー立てがある（特許文献１参照）。
【０００５】
紙製のカレンダーシートを複数枚重ねて一組のカレンダーとし、紙製のスタンドの面に入れた切込みにカレンダーの一部を差し込んで、カレンダーを保持する紙製のスタンド形カレンダーがある（特許文献２）。
【０００６】
複数枚の紙片からなるカレンダー用紙群を厚手の２枚の表紙とともに綴じ具により回動可能にその一辺をファイリングした卓上カレンダーがある（特許文献３）。
【０００７】
【特許文献１】
実用新案登録第３０７２７１７号公報
【特許文献２】
実用新案登録第３０６４９５４号公報
【特許文献３】
特開平７−６８９７１号公報
【０００８】
【発明が解決しようとする課題】
しかしながら、従来の紙製の卓上カレンダーは、支持体部分に合成樹脂材を用いないことから、一ヶ月分の日にちが印刷されている月順に重ねられた紙材からなる表示体を正面側に位置させるように紙材からなる支持体で支持する。この場合、月が変わるごとに表示体をかえなければならないが、この際に一度、支持体から表示体を外し、翌月が印刷されている表示体に入れ替えなければならない。
このことから、表示体を入れ替えるという作業を月が変わるごとに繰り返すことによって、表示体を支持する支持体が傷んでしまうという欠点がある。
【０００９】
また、従来の紙製の卓上カレンダーを作成する際に印刷会社などの製造元は、カレンダーを作成するために新たな製造ラインを設ける必要があり、コスト、時間が共に増加してしまう。
【００１０】
さらに、広告や店名を刷込んである卓上カレンダーがあるが、この場合、広告や店名をカレンダー紙片一枚毎に刷込まなければならず、製造費が増加し、刷込み管理が困難となってしまう。
【００１１】
本発明は、係る問題に鑑みてなされたものであり、カレンダー紙片と挿入片と差込口を施した厚紙を中綴方式（ホッチキス中綴じ、糸中綴じ）により綴じることで、古紙リサイクルに雑誌としてだすことができ、更には新たな製造ラインを必要とせず、従来の書籍を作成する製本ラインで簡便に製造することができる紙製の卓上カレンダーを提供することを第１の目的とする。
【００１２】
また、中綴方式であるので、容易に厚紙を表面にして冊子上に折り畳むことができることから、携帯に便利なスケジュール手帳や宛名を記載してダイレクトメールとして郵送したり、ポスティングできる広告媒体としても活用ができることを第２の目的とする。
【００１３】
さらに、厚紙のみに広告刷込みを施せばよいので、各カレンダー紙片への広告刷込みを省略することができ、コストの低減につながることを第３の目的とする。
【００１４】
【課題を解決するための手段】
上記目的を達成するために、請求項１記載の中綴式卓上カレンダーは、支持部材と支持部材に支持される複数枚の表示体とからなる卓上カレンダーにおいて、支持部材は、正面部と背面部と底面部とが折り部を介して連続して縦断面形状が三角形となるスリーブ体であり、正面部と背面部の折り部に複数枚の表示体を中綴じによって固定することを特徴とする。
【００１５】
請求項２記載の発明は、請求項１記載の中綴式卓上カレンダーであって、背面部は、正面部と折り部を介して連接する第１の背面部と、底面部と折り部を介して連接する第２の背面部を有することを特徴とする。
【００１６】
請求項３記載の発明は、請求項１または２記載の中綴式卓上カレンダーであって、正面部は、表示体を係止する第１の係止片を有することを特徴とする。
【００１７】
請求項４記載の発明は、請求項１から３のいずれか１項に記載の中綴式卓上カレンダーであって、背面部は、表示体を係止する第２の係止片を有することを特徴とする。
【００１８】
請求項５記載の発明は、請求項４記載の中綴式卓上カレンダーであって、第２の背面部は、第２の係止片を挿入するための第１の係止片を有することを特徴とする。
【００１９】
請求項６記載の発明は、請求項４または５記載の中綴式卓上カレンダーであって、底面部は、第２の係止片を挿入するための第２の係止孔を有することを特徴とする。
【００２０】
請求項７記載の発明は、請求項６記載の中綴式卓上カレンダーであって、第２の係止片および／または第１の係止孔の下部に広告や店名を掲載した広告掲載部を有することを特徴とする。
【００２１】
請求項８記載の発明は、請求項１から７のいずれか１項に記載の中綴式卓上カレンダーであって、正面部と背面部の右辺側と左辺側に、表示体を係止するための、係止部材を設けたことを特徴とする。
【００２２】
請求項９記載の発明は、請求項８記載の中綴式卓上カレンダーであって、係止部材は、切り込み係止片であることを特徴する。
【００２３】
請求項１０記載の発明は、請求項８記載の中綴式卓上カレンダーであって、係止部材は、折り返し係止片であることを特徴とする。
【００２４】
請求項１１記載の発明は、請求項１から１０のいずれか１項に記載の中綴式卓上カレンダーであって、支持部材と表示体は紙材で形成されていることを特徴とする。
【００２５】
【発明の実施の形態】
次に添付図面を参照しながら本願発明の卓上カレンダーについて説明する。
まず図１，２を参照して本願発明の構成を説明する。図１は、中綴式卓上カレンダーの展開図である。図２は、中綴式卓上カレンダーの正面と背面を示した図である。
【００２６】
本願発明の卓上カレンダーは図１に示すように、正面部１と第１の背面部である背面部４、正面部１に連続する底面部２、底面部２に連続する第２の背面部である支持体３Ａから構成された帯状のシートから支持部材３は構成されている。折り部７ａ、７ｂ、７ｃを表示体であるカレンダー紙片９が表面となるように折り曲げ、支持体３Ａが背面部４の外側になるように重ね、第２の係止片である挿入片８を支持体３Ａに設けられている第１の係止孔である差込口６ｂに差し込み、係止させることで支持部材３が組み起こされるようにしている。
【００２７】
図２に示すように、図１に示す支持部材３は、両側部が開放されているスリーブ体であって、後傾する正面部１と、正面部１の上辺に折り部７ａを介して連接して前傾状態となっている背面部４と、正面部１の下辺に折り部７ｂを介して連接して設置面となる底面部２と、底面部２の下辺に折り部７ｃを介して連接する支持体３Ａとを有して縦断面形状が三角形となっている。
【００２８】
また図１，２（ａ）に示す第１の係止片であるカレンダー紙片係止部５は、中綴方式であるために表示体が浮いてしまうといった問題を解決するために、カレンダー紙片９を係止する役目を備えている。また、図２（ｂ）の卓上カレンダーの背面を示す図では、支持体３Ａに設けられている差込口６ｂから突出している挿入片８がカレンダー紙片９の係止の役割をしているのが示されている。
【００２９】
図３は、中綴式卓上カレンダーを閉じる状態を示した図である。
▲１▼：折り部７ｂを介して底面部２と支持体３Ａを折り曲げる。
▲２▼：背面部４を底面部２と支持体３Ａが背面部４の下になるように折り部７ａを介して折り曲げることで、第２の係止孔である差込口６ａが挿入片８の位置になり、挿入片８と第２の係止孔である差込口６ａを差し込むことで卓上カレンダーが冊子状になる。
【００３０】
図４は、広告掲載部を設けた中綴式卓上カレンダーを示した図である。
図４（ａ）は、カレンダー紙片係止部５の下に広告掲載部１０を設けている。図４（ｂ）は、差込口６ｂから突出した挿入片の下に広告掲載部１０を設けている。広告掲載部１０には、店名や会社名を記載することができる。
【００３１】
図５は、係止部材なしの中綴式卓上カレンダーの構成を示した図である。
図５（ａ）は、組み立て完成図であり、図５（ｂ）は、展開図を示している。図５（ｂ）に示すように、支持部材３の上辺と下辺は平行であり、右辺と左辺も平行になっている。また、折り部７ａ〜７ｃも右辺と左辺に平行になっている。挿入片８は、背面部４の左側の中央に配置される。カレンダー紙片係止部５は、正面部１の右側中央に配置される。差込口６ａは、底面部２の左側中央に配置され、差込口６ｂも支持体３Ａの左側中央に配置される。
また、図５に示すライナーなしの中綴式卓上カレンダーの組み立ては、図１、２に示した順序と同様である。
【００３２】
図６は、係止部材なしの中綴式卓上カレンダーの構成を示した図である。
図６（ａ）は、卓上カレンダーの組み立て完成図であり、図６（ｂ）は、展開図を示している。図６の特徴は、図６（ｂ）の展開図に示すように折り部７ｃの右側に係止片１１と背面部４の挿入片８の上下に設けられた係止片１１を挿入する差込口１２を設けたことである。
背面部４と正面部１の折り部７ａを正面部１に設けられているカレンダー紙片９が表面になるように折り曲げる。次に正面部１と底面部２の折り部７ｂをカレンダー紙片９が表面になるように折り曲げる。さらに、底面部２と係止片１１との折り部７ｃを内側へ折り曲げ、係止片１１を背面部４に設けられている差込口１２に差し込む。
【００３３】
図７は、係止部材として切り込みライナーが設けられた中綴式卓上カレンダーの構成を示した図である。図７に示す中綴式卓上カレンダーは、カレンダー紙片係止部５，挿入片８以外に切り込みライナー１３ａ〜１３ｄを設けることで、表示体が浮いてしまうといった問題をさらに改善することが目的である。
図７（ａ）は、卓上カレンダーの組み立て完成図であり、図７（ｂ）は、展開図を示している。図７の特徴は、正面部１と背面部４に切り込み係止片である切り込みライナー１３ａ〜１３ｄが設けられていることである。背面部４の切り込みライナー１３ａと正面部１の切り込みライナー１３ｂは、平行に設けられている。背面部４の切り込みライナー１３ｃと正面部１の切り込みライナー１３ｄも同様である。切り込みライナー１３ａ〜１３ｄは、それぞれ支持部材３に対して垂直に折り曲げることができる。切り込みライナー１３ａ〜１３ｄは、カレンダー紙片９の厚みに対応して、角度を変えることができ、またカレンダー紙片９を正面部１では切り込みライナー１３ｂ、１３ｄ、カレンダー紙片係止部５で係止することができる。背面部４では、切り込みライナー１３ａ、１３ｃ、挿入片８で係止することができる。なお、カレンダー紙片９を差し込みやすくするためには切り込みライナー１３ａ〜１３ｄの長さを正面部、背面部の右辺（展開図では上辺）と左辺（展開図では下辺）の長さの１０〜８０％として設けるとよい。
【００３４】
図８は、係止部材として折り返しライナーが設けられている中綴式卓上カレンダーの構成を示した図である。図８に示す中綴式卓上カレンダーは、カレンダー紙片係止部５，挿入片８以外に折り返し係止片である折り返しライナー１８ａ〜１８ｄを設けることで、表示体が浮いてしまう問題を更に改善することが目的である。
図８（ａ）は、卓上カレンダーの組み立て完成図であり、図８（ｂ）は、展開図を示している。図８（ｂ）に示すように、背面部４の上辺のライナー１８ａと正面部１の上辺のライナー１８ｂは対称的に設置されている。背面部４の下辺のライナー１８ｃと正面部１の下辺のライナー１８ｄも同様に対称的に設置されている。ライナー１８ａ、１８ｃの右端に設置されている差込部１９ａ、１９ｃとライナー１８ｂ、１８ｄの左端に設置されている差込部１９ｂ、１９ｄをそれぞれ差込部１９ａは差込口１７ａへ、差込部１９ｂは差込口１７ｂへ、差込部１９ｃは差込口１７ｃへ、差込部１９ｄは差込口１７ｄへ差し込む。
【００３５】
差込口の設置位置は、差込口１７ａと差込口１７ｂは一直線上に配置されている。また、差込口１７ａと差込口１７ｂは、支持部材３の上辺に対して平行に配置されている。差込口１７ｃと差込口１７ｄも一直線上に配置されていて、支持部材３の下辺に対して平行に配置されている。
【００３６】
正面部１と折り部２０ｂを介して連接している底面部１５ａには、差込口１４が設けられている。さらに背面部４と折り部２０ｃを介して連接している底面部１５ｂには、挿入片１６が設けられている。
【００３７】
図８に示す卓上カレンダーの組み立て方を説明する。
底面部１５ａは、カレンダー紙片９を表面とするように折り部２０ｂの位置を折り曲げ、底面部１５ｂも底面部１５ａと同じ方向になるように折り部２０ｃの位置を折り曲げる。次に底面部１５ａの差込口１４に底面部１５ｂの挿入片１６を差し込む。次に、ライナー１８ａ、１８ｂを、上辺を折り部として、差込部１９ａを差込口１７ａへ、差込部１９ｂを差込口１７ｂへ差し込めるように折る。同様に、ライナー１９ｃ、１９ｄを、下辺を折り部として、差込部１９ｃを差込口１７ｃへ、差込部１９ｄを差込口１７ｄへ差し込めるように折ることで卓上カレンダーを組み立てることができる。
【００３８】
なお、本願発明の中綴式卓上カレンダーは、上記実施例に挙げた形状、その他の要素との組み合わせなど、ここで示した要件に本発明が限定されるものではなく、例えば壁等に設置したフックに差込口６ａに引っ掛けた状態で吊り下げた状態でも使用できる。さらに、宛名を記載してダイレクトメールとして郵送することができるなど、本発明の主旨をそこなわない範囲で変更することが可能であり、その応用形態に応じて適切に定めることができる。
【００３９】
【発明の効果】
以上の説明から明らかなように、本発明の中綴式卓上カレンダーは、中綴方式を採用することで、製本ラインで製造することができ、古紙リサイクルとしても雑誌としても処分することができる。
【００４０】
また、カレンダー紙片を中綴方式にすることで卓上カレンダーとなり、折り畳むことで冊子状になることから、スケジュール手帳や宛名を記載してダイレクトメールとして郵送したり、ポスティングできる広告媒体としても活用できるため実用性に優れた卓上カレンダーになる。
【００４１】
また、広告や店名の刷込みをカレンダー紙片毎に刷込まず、表紙となる部分だけに刷り込むことで製造費を低減できる。さらに、支持体およびカレンダー紙片の材質を紙材にすることにより、廃棄処分も簡単になり、古紙リサイクルに優れる。
【００４２】
なお、カレンダー紙片を中綴方式にすることにより、カレンダー紙片の材質や厚みによってカレンダー紙片が浮き上がってしまう状態を、カレンダー紙片を係止するための係止片を設けることでカレンダー紙片をしっかり係止することができ、視認性、美観性を損なわない。
【図面の簡単な説明】
【図１】本願発明の実施形態である中綴式卓上カレンダーの構成を示した図である。
【図２】図２（ａ）は、中綴式卓上カレンダーの正面図である。図２（ｂ）は、中綴式卓上カレンダーの背面図である。
【図３】本願発明の実施形態である中綴式卓上カレンダーを折り畳む工程を示した図である。
【図４】本願発明の実施形態である中綴式卓上カレンダーに広告スペースを設けた図である。
【図５】図５（ａ）は、ライナーなしの中綴式卓上カレンダーの組み立て完成図である。図５（ｂ）は、ライナーなしの中綴式卓上カレンダーの展開図である。
【図６】図６（ａ）は、ライナーなしの中綴式卓上カレンダーの組み立て完成図である。図６（ｂ）は、切り込みジョイント方式を設けたライナーなしの中綴式卓上カレンダーの展開図である。
【図７】図７（ａ）は、ライナー有りの中綴式卓上カレンダーの組み立て完成図である。図７（ｂ）は、切り込みライナーを設けたライナー有りの中綴式卓上カレンダーの展開図である。
【図８】図８（ａ）は、ライナー有りの中綴式卓上カレンダーの組み立て完成図である。図８（ｂ）は、折り返しライナーを設けたライナー有りの中綴式卓上カレンダーの展開図である。
【符号の説明】
１  正面部
２  底面部
３  支持体
３Ａ  支持体
４  背面部
５  カレンダー紙片係止部
６ａ、６ｂ  差込口
７ａ、７ｂ、７ｃ  折り部
８  挿入片
９  カレンダー紙片
【図１】
2004330597.tif 000003
【図２】
2004330597.tif 000004
【図３】
2004330597.tif 000005
【図４】
2004330597.tif 000006
【図５】
2004330597.tif 000007
【図６】
2004330597.tif 000008
【図７】
2004330597.tif 000009
【図８】
2004330597.tif 000010